(57)【要約】【課題】比較的簡単な構成を採用することにより、主カセット体３７に対する副カセット体３９の進退移動に関連させて、左右一対の側ガイド部材４０の間隔を調節でき、且つ用紙のセット方向の誤りも防止できるようにする。【解決手段】左右一対の側ガイド部材４０が主カセット体３７幅方向に移動可能に配置され、主カセット体３７底板３７ｂの裏面側には、左右一対の側ガイド部材４０にそれぞれ連設されたラック板４０ｃと、該ラック板４０ｃのラック部４０ｄに噛合うピニオンギヤ４３とが配置された構成を利用し、各ラック板４０ｃに設けられた当接体４１と、副カセット体３９の底板３９ｂに形成された左右のガイド手段としての切欠き部４５とを関連させて前記左右一対の側ガイド部材４０の間隔を調節可能に構成した。【選択図】図１２
2008024422.tif 000002
【特許請求の範囲】
【請求項１】
画像記録装置の記録部に供給される被記録媒体を堆積収容するための給紙カセット装置において、
前記記録部への給送方向下流側に位置する主カセット体と、この主カセット体に対して前記給送方向下流側から進退動可能に配置される副カセット体とを備え、
前記主カセット体の底板の表面側には、堆積された被記録媒体の幅方向を規制する左右一対の側ガイド部材が前記左右方向に移動可能に配置され、前記底板の裏面側には、前記左右一対の側ガイド部材にそれぞれ連設されたラック板と、該ラック板のラック部に噛合うピニオンギヤとが配置され、
前記各ラック板に設けられた当接体と、前記副カセット体の底板に形成された左右のガイド手段とを関連させて前記左右一対の側ガイド部材の間隔を調節可能に構成したことを特徴とする給紙カセット装置。
【請求項２】
前記左右のガイド手段は、前記当接体の左右方向の外側側面が摺接する切欠き部に形成され、前記副カセット体を前記主カセット体に対して前進する時、前記左右一対の側ガイド部材の間隔を狭めるように規制するように構成されていることを特徴とする請求項１に記載の給紙カセット装置。
【請求項３】
前記副カセット体を前記主カセット体に対して最後退させた位置では、前記当接体が前記切欠き部から離間し、前記左右一対の側ガイド部材の間隔を任意に調節可能に構成されている構成されていることを特徴とする請求項２に記載の給紙カセット装置。
【請求項４】
前記左右のガイド手段は前記当接体を摺動可能に案内するガイド溝に形成され、前記副カセット体を前記主カセット体に対して進退動する時、前記左右一対の側ガイド部材の間隔を広狭させるように関連させていることを特徴とする請求項１に記載の給紙カセット装置。
【請求項５】
前記左右のラック板のいずれか一方に、付勢手段を連結し、前記左右一対の側ガイド部材の間隔を拡張または減縮するように構成されていることを特徴とする請求項４に記載の給紙カセット装置。
【請求項６】
画像記録装置の記録部に供給される被記録媒体を堆積収容するための給紙カセット装置において、
前記記録部への給送方向下流側に位置する主カセット体と、この主カセット体に対して前記給送方向下流側から進退動可能に配置される副カセット体とを備え、
前記主カセット体の底板の表面側には、その左右いずれか一方の側板に沿わせて堆積された被記録媒体の左右幅方向を規制するための１つの側ガイド部材が前記側板と平行状に移動可能に配置され、
前記底板の裏面側には、前記副カセット体を前記主カセット体に対して進退動する時、前記側ガイド部材と一体的に左右移動する当接体と、前記副カセット体の底板に形成されたガイド手段とを関連させて前記１つの側ガイド部材の前記一方の側板に対する移動範囲を調節可能に構成したことを特徴とする給紙カセット装置。
【請求項７】
前記副カセット体を前記主カセット体に対して進退動させた位置を保持するための位置保持手段を備えたことを特徴とする請求項１乃至６のいずれかに記載の給紙カセット装置。
【発明の詳細な説明】
【技術分野】
【０００１】
本発明は、サイズの異なる被記録媒体（用紙、カットシートともいう）を選択的に堆積収容することができ、そのサイズに適応するように形態を変更することができると共に、さらに、堆積収容されたカットシートが横ずれしないようにサイドガイド部材の位置を調節可能とした給紙カセット装置の構成に関する。
【背景技術】
【０００２】
一般にプリンタ、複写機、ファクシミリ等の画像記録装置の装置本体（ハウジング）にただ１つの給紙カセット（給紙トレイ）を前後引き出し動可能に配置した場合には、複数種類のサイズの被記録媒体（以下、単に用紙という）を堆積収容したいというユーザーの要望に応えるため、特許文献１及び２に示すように、用紙を記録部へ給送する給送方向下流側に配置される第１トレイ（または主容器）に対して、給送方向上流側の第２トレイ（副容器）を摺動自在に連結されている。この構成により、第１トレイ（または主容器）と第２トレイ（副容器）との給送方向の寸法を短くすることで、例えば、Ａ４サイズの用紙を堆積でき、逆に長くすると、Ａ３サイズの用紙を堆積可能とすることができる。
【０００３】
Ａ４サイズの用紙の長辺方向の長さ寸法は、Ａ３サイズの用紙の短辺方向の寸法に実質上等しく、４サイズの用紙の短辺方向の寸法の２倍の長さがＡ３サイズの用紙の長辺方向の長さ寸法に実質上等しい。従って、長辺方向を給送方向に沿わせてＡ４サイズの用紙を給紙カセット装置に堆積収容する場合、当該Ａ４サイズの用紙の短辺側（幅方向）の位置を規制するための左右一対の側ガイド部材（サイドガイド）を手動にて移動させて、左右一対の側ガイド部材の間隔を調節するための以下の構成が公知である。
【０００４】
即ち、特許文献３や４に開示されているように、第１トレイの底板の左右方向中央部に、ピニオンギヤを回転可能に取付ける一方、左右一対の側ガイド部材に一体的に設けられたラック板のラック部をピニオンギヤにかみ合わせることにより、一方の側ガイド部材を移動させると、他方の側ガイド部材が相対的に移動し、左右両側ガイド部材の間隔を広狭調節できるというものである。
【０００５】
また、第２トレイ側には、用紙の給送方向上流側短辺の位置を規制するための規制部材が、進退位置調節可能に設けられていた。
【特許文献１】特開平８−３１９０２９号公報（図６〜図１１参照）
【特許文献２】特開平９−１１０１８４号公報（図６〜図１１参照）
【特許文献３】特開２００３−２２６４４０号公報（図６参照）
【特許文献４】特開２００６−１５１６５６号公報（図９〜図１１参照）
【発明の開示】
【発明が解決しようとする課題】
【０００６】
しかしながら、前記従来の技術では、ユーザーは、用紙のサイズを変更させる毎に、左右一対の側ガイド部材の位置合わせの作業を実行しなければならず、手間が掛かるのであった。また、画像記録装置が例えばＡ４サイズの用紙については、その長辺を給送方向に沿うように給送するように設定されている場合、上述のように、第１トレイ及び第２トレイの両者が、Ａ４サイズの用紙の長辺を給送方向と直交するようにして堆積収容可能な幅寸法を有していると、 ユーザーは誤って、Ａ４サイズの用紙の長辺を給送方向と直交する方向にセットしてしまうという、誤挿入のおそれがあった。
【０００７】
本発明は、これらの問題を解決すべくなされたものであり、比較的簡単な構成を採用することにより、第１トレイ（主カセット体）に対する第２トレイ（副カセット体）の進退移動に関連させて、左右一対のサイドガイド（側ガイド部材）の間隔を調節でき、且つ用紙のセット方向の誤りも防止できるように構成した給紙カセット装置を提供することを目的とするものである。
【課題を解決するための手段】
【０００８】
前記目的を達成するため、請求項１に記載の発明の給紙カセット装置は、画像記録装置の記録部に供給される被記録媒体を堆積収容するための給紙カセット装置において、前記記録部への給送方向下流側に位置する主カセット体と、この主カセット体に対して前記給送方向下流側から進退動可能に配置される副カセット体とを備え、前記主カセット体の底板の表面側には、堆積された被記録媒体の幅方向を規制する左右一対の側ガイド部材が前記左右方向に移動可能に配置され、前記底板の裏面側には、前記左右一対の側ガイド部材にそれぞれ連設されたラック板と、該ラック板のラック部に噛合うピニオンギヤとが配置され、前記各ラック板に設けられた当接体と、前記副カセット体の底板に形成された左右のガイド手段とを関連させて前記左右一対の側ガイド部材の間隔を調節可能に構成したものである。
【０００９】
請求項２に記載の発明は、請求項１に記載の給紙カセット装置において、前記左右のガイド手段は、前記当接体の左右方向の外側側面が摺接する切欠き部に形成され、前記副カセット体を前記主カセット体に対して前進する時、前記左右一対の側ガイド部材の間隔を狭めるように規制するように構成されているものである。
【００１０】
請求項３に記載の発明は、請求項２に記載の給紙カセット装置において、前記副カセット体を前記主カセット体に対して最後退させた位置では、前記当接体が前記切欠き部から離間し、前記左右一対の側ガイド部材の間隔を任意に調節可能に構成されている構成されているものである。
【００１１】
請求項４に記載の発明は、請求項１に記載の給紙カセット装置において、前記左右のガイド手段は前記当接体を摺動可能に案内するガイド溝に形成され、前記副カセット体を前記主カセット体に対して進退動する時、前記左右一対の側ガイド部材の間隔を広狭させるように関連させているものである。
【００１２】
請求項５に記載の発明は、請求項４に記載の給紙カセット装置において、前記左右のラック板のいずれか一方に、付勢手段を連結し、前記左右一対の側ガイド部材の間隔を拡張または減縮するように構成されているものである。
【００１３】
請求項６に記載の発明は、画像記録装置の記録部に供給される被記録媒体を堆積収容するための給紙カセット装置において、画像記録装置の記録部に供給される被記録媒体を堆積収容するための給紙カセット装置において、前記記録部への給送方向下流側に位置する主カセット体と、この主カセット体に対して前記給送方向下流側から進退動可能に配置される副カセット体とを備え、前記主カセット体の底板の表面側には、その左右いずれか一方の側板に沿わせて堆積された被記録媒体の左右幅方向を規制するための１つの側ガイド部材が前記側板と平行状に移動可能に配置され、前記底板の裏面側には、前記副カセット体を前記主カセット体に対して進退動する時、前記側ガイド部材と一体的に左右移動する当接体と、前記副カセット体の底板に形成されたガイド手段とを関連させて前記１つの側ガイド部材の前記一方の側板に対する移動範囲を調節可能に構成したものである。
【００１４】
請求項７に記載の発明は、請求項１乃至６のいずれかに記載の給紙カセット装置において、前記副カセット体を前記主カセット体に対して進退動させた位置を保持するための位置保持手段を備えたものである。
【発明の効果】
【００１５】
請求項１に記載の発明によれば、主カセット体に対して副カセット体を進退動させるだけの簡単な操作で、異なるサイズの用紙を選択的に堆積収容し、給紙カセット装置にセンター合わせで収容位置を規制することができる。そして、そのための構成として、従来から周知の左右一対の側ガイド部材が前記左右方向に移動可能に配置され、前記底板の裏面側には、前記左右一対の側ガイド部材にそれぞれ連設されたラック板と、該ラック板のラック部に噛合うピニオンギヤとが配置された構成を利用し、前記各ラック板に設けられた当接体と、前記副カセット体の底板に形成された左右のガイド手段とを関連させて前記左右一対の側ガイド部材の間隔を調節可能に構成したものであるから、比較的簡単な変更及び構造を採用することで、実現させることができるという効果を奏する。しかも、大きいサイズの用紙と小さいサイズの用紙とのセット方向の誤りも無くすることができるという効果を奏する。
【００１６】
請求項２に記載の発明によれば、前記左右のガイド手段は、前記当接体の左右方向の外側側面が摺接する切欠き部に形成され、前記副カセット体を前記主カセット体に対して前進する時、前記左右一対の側ガイド部材の間隔を狭めるように規制するように構成されているものであるので、構造が極めて簡単で、且つ構造物も用紙の堆積方向（給紙カセットの高さ方向）を極めて扁平にでき、コンパクトにできるという効果を奏する。
【００１７】
請求項３に記載の発明によれば、前記副カセット体を前記主カセット体に対して最前進させた位置では、前記当接体が前記切欠き部から離間し、前記左右一対の側ガイド部材の間隔を任意に調節可能に構成されているものであるので、請求項２に記載の発明による作用効果に加えて、主カセット体に主要可能な最大のサイズの用紙の幅に合わせることができるという効果を奏する。
【００１８】
請求項４に記載の発明によれば、前記左右のガイド手段は前記当接体を摺動可能に案内するガイド溝に形成され、前記副カセット体を前記主カセット体に対して進退動する時、前記左右一対の側ガイド部材の間隔を広狭させるように関連させているものであるので、主カセット体に対して副カセット体を進退動させるだけの簡単な操作で所定の大きいサイズの用紙から所定の小さいサイズの用紙までの間での用紙の幅方向の規制を簡単に実現させることができるという効果を奏する。
【００１９】
請求項５に記載の発明によれば、前記左右のラック板のいずれか一方に、付勢手段を連結し、前記左右一対の側ガイド部材の間隔を拡張または減縮するように構成されているものであるので、付勢手段による側ガイド部材の付勢方向への自動的な移動が容易にできるという効果を奏する。
【００２０】
請求項６に記載の発明によれば、前記主カセット体の底板の表面側には、その左右いずれか一方の側板に沿わせて堆積された被記録媒体の左右幅方向を規制するための１つの側ガイド部材が前記側板と平行状に移動可能に配置され、前記底板の裏面側には、前記副カセット体を前記主カセット体に対して進退動する時、前記側ガイド部材と一体的に左右移動する当接体と、前記副カセット体の底板に形成されたガイド手段とを関連させて前記１つの側ガイド部材の前記一方の側板に対する移動範囲を調節可能に構成したものであるので、いわゆる給紙カセット装置の片側に偏らせた位置合わせが可能になり、そのための構成が極めて簡単になるという効果を奏する。
【００２１】
請求項７に記載の発明によれば、副カセット体を前記主カセット体に対して進退動させた位置を保持するための位置保持手段を備えたものであるので、用紙の給送方向の端部の位置合わせも容易にできるという効果を奏する。
【発明を実施するための最良の形態】
【００２２】
次に、本発明を具体化した最良の実施形態について説明する。図１は画像記録装置の斜視図、図２は側断面図、図３（ａ）は第１実施形態における第１給紙カセット装置にＡ３サイズの用紙を堆積収容させた状態の斜視図、（ｂ）は同じくＡ４サイズの用紙を堆積収容させた状態の斜視図、図４は第１給紙カセット装置の主カセット体の下面図、図５は副カセット体の平面図、図６はＡ３サイズの用紙を堆積収容できる状態の第１給紙カセット装置の下面から見た斜視図、図７は同じく下面図、図８は同じく平面図、図９はＡ４サイズの用紙を堆積収容できる状態の第１給紙カセット装置の下面から見た斜視図、図１０は同じく下面図、図１１は同じく平面図、図１２（ａ）〜（ｃ）は一対の当接体とガイド手段との関連を示す説明図、図１３（ａ）、（ｂ）は第２実施形態の説明図、図１４（ａ）、（ｂ）は第３実施形態の斜視図、図１５（ａ）〜（ｃ）は第３実施形態における１つの当接体とガイド手段との関連を示す斜視説明図である。
【００２３】
本実施形態は、画像記録装置の１実施形態としての、プリンタ機能、コピー機能、スキャナ機能、ファクシミリ機能及びコードレス電話機能を備えた多機能装置１（ＭＦＤ：Multi Function Device ）に本発明を適用したものである。多機能装置１は、図示されていないコンピュータや電話通信網に接続可能であり、このコンピュータや他のファクシミリ装置から送信された画像データや文書データに基づいて、用紙の一例としての記録用紙に画像や文書を記録することができる。また、多機能装置１は、デジタルカメラ等の外部機器と接続されてデジタルカメラから出力される画像データを記録用紙に記録することができる。
【００２４】
本実施形態では、図１に示すように、合成樹脂製の本体ケース（ハウジング）２の下部に画像記録部（以下、記録部という）７が備えられている。そして、装置本体である本体ケース２の底部のカセット収納部（収納空間）に対して、本体ケース２の前側に開口された挿入口２ａから挿抜可能（実質上水平方向に出し入れ可能）な給紙カセット装置３（３３）が配置されている。以下、合成樹脂製の本体ケース２の挿入口２ａがある側を前側または前方といい、これを基準に装置の前側、左右側、後側（奥側）という。本体ケース２の前面部にはスロット部１１が備えられ、このスロット部１１にメモリカード等の各種記憶媒体が装填されることによって当該記憶媒体に記憶された画像データ等を記録用紙に記録することも可能である。
【００２５】
本体ケース２の上部には、コピー機能やファクシミリ機能における原稿読取などのための画像読取装置（スキャナ部）１２が画像読取部ケース１２ａ内に配置されている。
【００２６】
本体ケース２の上側には、画像読取装置１２の前方に各種操作ボタンや液晶表示部等を備えた操作パネル部１４が設けられており、画像読取装置１２と操作パネル部１４との平面視投影面積内に、記録部７と排紙部１０などが配置される。この排紙部１０の一側（図１で右側）であって、本体ケース２の前部側に、インクカートリッジの収納装置１５が内蔵されている。そして、本体ケース２の前部側に下端を蝶番を介して上下回動して開閉する蓋体２ｂにて収納装置１５の前面側が覆われている。
【００２７】
画像読取装置１２の上面には、原稿を載置することができる載置用ガラス板１６が設けられ、その下側に原稿読取り用のイメージスキャナ装置（ＣＩＳ：Contact Image Sensor）１７が図２の紙面と直交する方向（主走査方向、以下、Ｘ軸方向という）に往復移動可能に設けられている。
【００２８】
載置用ガラス板１６を覆う原稿カバー体１３はその後端部（図２で右側）が蝶番１３ａを介して画像読取部ケース１２ａに対して開閉自在に取り付けられている。
【００２９】
記録部７は、図２に示すように、上面開放された枠状のメインフレーム２１における左右一対の側板（図示せず）にて支持され、Ｘ軸方向（主走査方向）に延びる横長の板状（プレート状）の第１ガイド部材２２、第２ガイド部材２３と、これら両ガイド部材２２、２３に跨がって摺動自在に支持（搭載）されて往復移動可能に構成されたキャリッジ５と、記録ヘッド４が搭載されたキャリッジ５を往復移動させるために第２ガイド部材２３の上面にそれと平行状にて、プーリに巻回配置された無端ベルトとしてのタイミングベルト（図示せず）と、そのタイミングベルトを駆動するＣＲ（キャリッジ）モータ（実施形態ではＤＣモータであるが、ステッピングモータ等他のモータでもよい。図示せず）と、記録ヘッド４の下面側にて搬送される用紙Ｐを支持する板状のプラテン２６と、主走査方向に沿って延びるように配置されてキャリッジ５のＸ軸方向（主走査方向）の位置とその方向の移動速度を検知するための光学式リニアエンコーダの構成部品であるテープスケール（図示せず）等を備える。なお、プラテン２６上で用紙Ｐが通過する方向での用紙搬送方向（矢印Ａ方向、図２参照）の上流側に、第１ガイド部材２２が配置され、下流側に第２ガイド部材２３が配置されることになる。
【００３０】
また、プラテン２６よりも搬送上流側には、搬送作用とレジスト作用を兼用させるレジストローラ対２７が配置されている。駆動ローラ２７ａと従動ローラ２７ｂとからなるレジストローラ対２７は用紙Ｐを記録ヘッド４の下面のノズル面とプラテン２６との隙間に搬送する。プラテン２６よりも下流側には、用紙Ｐの上面に接する拍車２８ｂと下面側の駆動する排紙ローラ２８ａとが配置されている。この排紙ローラ２８ａと拍車２８ｂとは記録済みの用紙Ｐを排紙部１０へと搬送する。
【００３１】
本実施形態では、図３〜図１１に示すように、第１給紙カセット装置３は、用紙としての例えばＡ３サイズ、Ａ４サイズ、レターサイズ、リーガルサイズ等にカットされた大サイズの用紙Ｐをその短辺が（図２において紙面と直交する方向、主走査方向、Ｘ軸方向）に延びるようにして複数枚積層（堆積）されて収納できる収容部３ａを備えている。第１給紙カセット装置３の上部には、例えば葉書等の小サイズの用紙Ｐ１を複数枚堆積させて収納できる載置部３３ａを備えた第２給紙カセット装置３３がＹ軸方向（用紙搬送方向、副走査方向）に移動可能に装着されている。その場合、第２給紙カセット装置３３の底板の左右両側端部が第１給紙カセット装置３の左右両側板の上端面に摺接されて移動可能となっている。
【００３２】
第１給紙カセット装置３の奥側（後端側、給送方向下流側、図２において右側）には、用紙分離用の傾斜分離板８が配置されている。他方、本体ケース２側には、給紙手段６としての給紙ローラ６ｂが設けられている。即ち、給紙手段における給紙アーム６ａの上端部に駆動軸３４を備え、この駆動軸３４を中心として上下方向に回動可能な給紙アーム６ａが装着されている。歯車伝動機構６ｃ付きの給紙アーム６ａの下端に設けられた給紙ローラ６ｂと、傾斜分離板８における分離手段としての弾性分離パッド８ａ（実施形態では板バネ製である）との協働作用により、第１給紙カセット装置３及び第２給紙カセット装置３３に堆積された用紙である用紙Ｐが一枚ずつ分離搬送される。
【００３３】
分離された用紙Ｐは後述するような構成の上横向きのＵターンパス（給紙搬送路）９用の側面視で横向きＵ字状の外径側搬送路体３５と、この外径側搬送路体３５の内径側に適宜隙間を隔てて配置される内径側搬送路体３６とを介して第１給紙カセット装置３よりも上側（高い位置）に設けられた記録部７に給送される。記録部７にて記録された用紙Ｐがその記録面を上向きにして排出される排紙部（排紙トレイ部）１０は、第２給紙カセット装置３３の上側に形成されており、排紙部１０に連通する排紙口１０ａ（挿入口２ａの上方、図１参照）が本体ケース２の前面に向かって開口されている。
【００３４】
給紙搬送路（Ｕターンパス）９の下流側には、内径側搬送路体３６よりも内径側から半径外方向に延びる用紙有無センサ用の検知レバー５５が回動可能に設けられており、給紙搬送路（Ｕターンパス）９を通過する用紙Ｐの先端縁及び後端縁の通過を検知できるようにしている（図２参照）。
【００３５】
次に、第１給紙カセット装置３で堆積収容すべき異なるサイズの用紙に適応する収容部の形態に調節可能な構成について説明する。実施形態では、Ａ４サイズ及びＡ３サイズのそれぞれの用紙の長辺方向を給送方向に沿わせて堆積収容するのに各々適した形態（図３（ａ）及び図３（ｂ）参照）に変更することができるものである。
【００３６】
第１給紙カセット装置３は、図４、図５に示すように、主カセット体３７と、これに進退動可能に装着する副カセット体３９とからなる。主カセット体３７は左右両側板３７ｃ、３７ｃと底板３７ｂと奥側部（用紙Ｐの給送方向下流側）の傾斜分離板８とを有し、実施形態では、Ａ４サイズの用紙Ｐをその短辺方向の中心位置を第１給紙カセット装置３のＸ軸方向の中央位置に配置するようにセット（規制）するため、底板３７ｂには、左右一対の側ガイド部材４０、４０がＸ軸方向に沿って移動自在に設けられている。その構成を詳述すると、各側ガイド部材４０は、底板３７ｂの表面側に位置するベース４０ａと、ベース４０ａから上向き立設してＹ軸方向に延びる規制板４０ｂと、ベース４０ａに連設され、且つＸ軸方向に延びるラック板４０ｃと、ラック板４０ｃの下面に下向きに突設された丸軸状の当接体４１ａ、４１ｂとを備える。ラック板４０ｃは、底板３７ｂにＸ軸方向に沿って延びるように穿設されたガイド溝孔４２を介して底板３７ｂの裏面（下面）側に配置されている（図４、図６〜図８参照）。つまり、ベース４０ａとラック板４０ｃと連設部（図示せず）はガイド溝孔４２を貫通している。
【００３７】
主カセット体３７の底板３７ｂの裏面には、上記一対のラック板４０ｃの側面にそれぞれ形成されたラック部４０ｄに噛合うピニオンギヤ４３が回転自在に装着されている。ピニオンギヤ４３の配置位置は、底板３７ｂのＸ軸方向の中央位置である。また、主カセット体３７の底板３７ｂのうちＸ軸方向の中央位置には、用紙Ｐの給送方向上流側端部から下流側に延びる開放ガイド溝３７ｄが切欠き形成されている。さらに、底板３７ｂの裏面側には、開放ガイド溝３７ｄのＹ軸方向に所定の間隔で複数の係止部４４ａ、４４ｂが形成されている（図４参照）。
【００３８】
副カセット体３９は、図５〜図８に示すように、底板３９ｂと、左右両側板３９ｃ、３９ｃと、前端側（用紙Ｐの給送方向上流側端部）に形成された把手兼用の前板３９ｄと、上記開放ガイド溝３７ｄの間に嵌まって案内されるレール部３９ｅとが一体的に形成されている。なお、副カセット体３９における左右両側板３９ｃ、３９ｃが主カセット体３７における左右両側板３７ｃ、３７ｃの内側面に沿うように嵌合され、また、副カセット体３９における底板３９ｂが主カセット体３７における底板３７ｂの裏面側（下面側）に沿うように配置される。
【００３９】
そして、底板３９ｂのうち用紙Ｐの給送方向下流側には、上記一対の当接体４１ａ、４１ｂの側面に摺接可能なガイド手段の第１実施形態として、左右の切欠き部４５が形成されている。より詳細に説明すると、左右の切欠き部４５は、給送方向下流側の左右一対の傾斜ガイド面４５ａ、４５ｂと、これらに連通してＹ軸方向と平行な平行ガイド面４５ｃ、４５ｄとからなる（図５等参照）。左右一対の傾斜ガイド面４５ａ、４５ｂは用紙Ｐの給送方向下流側端で副カセット体３９における左右両側板３９ｃ、３９ｃに近く、給送方向上流側に行くに従って左右両側板３９ｃ、３９ｃから離れるように形成されている。そして、平行ガイド面４５ｃ、４５ｄの間隔は、この一対の平行ガイド面４５ｃ、４５ｄに上記一対の当接体４１ａ、４１ｂのいずれか対応する一方もしくは双方が当接するとき、一対の規制板４０ｂ、４０ｂの間隔がＡ４サイズの用紙Ｐの短辺の長さＷ１に対応するように設定されているものである。
【００４０】
また、図５、図７、図８、図１０及び図１１に示すように、副カセット体３９における底板３９ｂの上面（表面）側には、主カセット体３７に対する副カセット体３９の進退動の位置を保持するための位置保持手段４６としてのロックアーム４６ａの基端側が枢支ピン４７を中心に回動可能に装着されている。ロックアーム４６ａの基端部には、握り部４６ｂと板バネ部４６ｃとが前板３９ｄの内側面に近接して設けられ、ロックアーム４６ａの先端部には、上記主カセット体３７における係止部４４ａ、４４ｂに選択的に係止する係止爪４６ｄが一体的に形成されている。なお、符号４８はロックアーム４６ａの外れを防止するためのストッパーである。また、符号４９は、副カセット体３９におけるレール部３９ｅに沿ってＹ軸方向に移動可能な用紙後端縁規制体である（図８参照）。
【００４１】
上記構成において、図６〜図８に示すように、第１給紙カセット装置３における副カセット体３９を主カセット体３７の傾斜分離板８から離れる方向（給送方向上流側）に移動させる（この方向に副カセット体３９を移動させるときを後退という、以下同じ）。移動保持手段４６の係止爪４６ｄが主カセット体３７の底板３７ｂにおける給送方向上流側に形成された係止部４４ｂに係止すると、図８の二点鎖線で示す大きさのＡ３サイズの用紙Ｐが、図３で示すように主カセット体３７と副カセット体３９との上面間に形成される収容部３ａに堆積収容することができる。その場合、副カセット体３９及び主カセット体３７の下面側において、左右一対の側ガイド部材４０における一対の当接体４１ａ、４１ｂは、副カセット体３９の底板３９ｂに形成されたガイド手段としての切欠き部４５の左右一対の傾斜ガイド面４５ａ、４５ｂから給送方向下流側に離間しているので（図６及び図７参照）、ユーザーは、左右一対の側ガイド部材４０における一方の規制板４０ｂを摘んでＸ軸方向に移動させると、ピニオンギヤ４３に噛合う一対のラック板４０ｃの協働移動により、左右一対の規制板４０ｂを主カセット体３７の左右側板３７ｃ、３７ｃに最も接近した位置になるように移動させることができる。従って、Ａ３サイズの用紙Ｐの給送方向に沿う左右両長辺縁に左右一対の規制板４０ｂ、４０ｂを当てて、用紙Ｐの収納位置を規制できるのである。
【００４２】
次に、Ａ４サイズの用紙Ｐを第１給紙カセット装置３に堆積収容するには、副カセット体３９を主カセット体３７の傾斜分離板８に接近する方向（給送方向下流側、奥側）に移動させる（この方向に副カセット体３９を移動させるときを前進という、以下同じ）。Ａ３サイズの用紙Ｐを収容していた状態において、主カセット体３７における一方の当接体４１ａ（図７の下側参照）は上記一方の傾斜ガイド面４５ａと対向する位置にあるので、副カセット体３９を主カセット体３７の奥側へ移動させると、上記一方の当接体４１ａが上記一方の傾斜ガイド面４５ａに当接し（図１２（ａ）参照）、この傾斜ガイド面４５ａに拘束されて当接体４１ａが主カセット体３７の幅方向の中央側へと強制的に移動させられる。そうすると、この当接体４１ａが取付けられたラック板４０ｃも上記の方向に移動し、ピニオンギヤ４３を介して噛合う他方の当接体４１ｂ付きのラック板４０ｃも主カセット体３７の幅方向の中央側へと強制的に移動させられる。その途次、この他方の当接体４１ｂは他方の傾斜ガイド面４５ｂに摺接するので、左右一対の側ガイド部材４０は、左右一対の規制板４０ｂの間隔が狭まるようになる（図１２（ｂ）参照）。左右いずれか一方もしくは両方の当接体４１ａ、４１ｂの外側面がガイド手段（切欠き部）４５における平行ガイド面４５ｃ、４５ｄの対応する一方もしくは両方に当接（摺接）するときは（図１０及び図１２（ｃ）参照）、一対の規制板４０ｂ、４０ｂの間隔がＡ４サイズの用紙Ｐの短辺の長さＷ１に対応する。
【００４３】
即ち、第１実施形態では、左右のガイド手段は、左右いずれか一方もしくは両方の当接体４１ａ、４１ｂの左右方向の外側側面が摺接するような切欠き部４５、４５に形成され、副カセット体３９を主カセット体３７に対して前進する時（傾斜分離板８に接近する方向に移動させる時）、左右一対の側ガイド部材４０、４０における規制板４０ｂ、４０ｂの間隔を狭めるように規制するのである。これにより、Ａ４サイズの用紙Ｐの長辺を給送方向と平行に沿わせ、且つＡ４サイズの用紙Ｐの短辺方向の中心が、第１給紙カセット装置３の幅方向の中心線と実質的に一致するように、用紙Ｐを堆積収容できるのである（図３（ｂ）、図１１の二点鎖線参照）。
【００４４】
なお、上記第１実施形態においては、左右一対の側ガイド部材４０、４０における左右両当接体４１ａ、４１ｂは主カセット体３７の幅方向（Ｘ軸方向）の広がる方向への移動のみ規制されるように切欠き部４５、４５が形成されているので、逆に、左右両当接体４１ａ、４１ｂ、ひいては規制板４０ｂ、４０ｂが主カセット体３７の幅方向（Ｘ軸方向）の狭まる方向への移動については許容されているから、ユーザーはＡ４サイズの用紙Ｐの短辺方向の寸法Ｗ１よりも小さい任意の小サイズの用紙Ｐを図１１の状態の第１給紙カセット装置３に対していわゆるセンター合わせにてセット（堆積収容）することが可能となる。
【００４５】
図１３（ａ）及び図１３（ｂ）は第２実施形態の概略下面図を示し、左右のガイド手段は当接体４１ａ、４１ｂを摺動可能に案内するための一対のガイド溝５０に形成されている。
【００４６】
両ガイド溝５０は、主カセット体３７の傾斜分離板８に近い側では、当該主カセット体３７の左右両側板３７ｃ、３７ｃに近い位置で、Ｙ軸方向と平行な拡張平行溝部５０ａであり、主カセット体３７の傾斜分離板８から遠い側では、当該主カセット体３７の左右両側板３７ｃ、３７ｃから遠い位置（主カセット体３７の幅方向の中央寄り位置）で、Ｙ軸方向と平行な狭小平行溝部５０ｂとなり、この狭小平行溝部５０ｂと拡張平行溝部５０ａとを傾斜溝部５０ｃにて連通させている。また、左右一対の側ガイド部材４０のうち一方のラック板４０ｃと主カセット体３７の底板３７ｂの裏面との間に引張付勢バネ５１を装架して、左右一対の側ガイド部材４０における左右規制板４０ｂの間隔が常時狭まる方向に付勢されている構成を採用する。その他の構成は、第１実施形態と同様であるので、同じ符号を付して詳細説明は省略する。
【００４７】
この第２実施形態によれば、副カセット体３９を主カセット体３７に対して進退動する時、左右のガイド手段としての一対のガイド溝５０に沿って左右の当接体４１ａ、４１ｂを摺動可能に案内することで左右一対の側ガイド部材４０の間隔を広狭させるように関連させているので、第１実施形態に比べて、左右一対の側ガイド部材４０の間隔の調節作業がより簡便にできるという効果を奏する。
【００４８】
なお、第２実施形態の変形例として、引張付勢バネ５１にて左右一対の側ガイド部材４０における左右規制板４０ｂの間隔が常時広がる方向に付勢されている構成を採用しても良い。
【００４９】
図１４（ａ）、図１４（ｂ）、図１５（ａ）、図１５（ｂ）及び図１５（ｃ）は、第３実施形態を示す。この実施形態では、主カセット体３７の底板３７ｂの表面側には、その左右いずれか一方の側板３７ｃに沿わせて堆積された用紙Ｐの左右幅方向を規制するための１つの側ガイド部材５２が上記一方の側板３７ｃと平行状に移動可能に配置され、底板３７ｂの裏面側には、副カセット体３９を主カセット体３７に対して進退動する時、側ガイド部材５２と一体的に左右移動する当接体５３を、副カセット体３９の底板３９ｂに形成されたガイド手段としての切欠き部５５に関連させて前記１つの側ガイド部材５２の一方の側板３７ｃに対する移動範囲を調節可能に構成したものである。
【００５０】
この切欠き部５５は、第１実施形態と異なり、上記１つの側ガイド部材５２が移動する側にのみ形成されるものであり、給送方向下流側の１つの傾斜ガイド面５５ａと、これらに連通してＹ軸方向と平行な平行ガイド面５５ｂとからなる（図１５（ａ）〜図１５（ｃ）参照）。傾斜ガイド面５５ａは用紙Ｐの給送方向下流側端で副カセット体３９における他方（用紙Ｐの幅方向の側縁が当接しない側）の側板３９ｃ′に近く、給送方向上流側に行くに従ってこの側板３９ｃ′から離れるように形成されている。そして、平行ガイド面５５ｂと上記一方の側板３７ｃとの間隔は、この１つの平行ガイド面５５ｂに上記１つの当接体５３の外側面が当接するとき、前記１つの側ガイド部材５２における１つ規制板５２ｂと、上記一方の側板３７ｃとの間隔がＡ４サイズの用紙Ｐの短辺の長さＷ１に対応するように設定されているものである。
【００５１】
１つの側ガイド部材５２は、上記第１実施形態とは異なり、底板３７ｂの表面側に位置するベース（図示せず）とそれから上向き立設してＹ軸方向に延びる規制板５２ｂと、ベースに連設され、且つＸ軸方向に延びる案内板５２ｃと、案内板５２ｃの下面に下向きに突設された丸軸状の当接体５３とを備える。案内板５２ｃは、底板３７ｂにＸ軸方向に沿って延びるように穿設されたガイド溝孔４２を介して底板３７ｂの裏面（下面）側に配置されている（図１５（ａ）〜図１５（ｃ）参照）。その他の構成は第１実施形態と同じである。例えば、主カセット体３７に対する副カセット体３９の進退動の位置を保持するための位置保持手段４６や、副カセット体３９におけるレール部３９ｅに沿ってＹ軸方向に移動可能な用紙後端縁規制体４９は第１実施形態と同様に設けられている。
【００５２】
第３実施形態では、副カセット体３９を主カセット体３７の傾斜分離板８から離れる方向（給送方向上流側）に移動させ、移動保持手段４６の係止爪が主カセット体３７の底板３７ｂにおける給送方向上流側に形成された係止部に係止すると、図１４（ａ）で示す大きさのＡ３サイズの用紙Ｐが、主カセット体３７と副カセット体３９との上面間に形成される収容部３ａに堆積収容することができる。その場合、１つの規制板５２ｂは他方（用紙Ｐの幅方向の側縁が当接しない側）の側板３９ｃ′に最接近している（図１４（ａ）参照）。一方、１つの当接体５３は、副カセット体３９の底板３９ｂに形成されたガイド手段としての切欠き部５５の１つの傾斜ガイド面５５ａから給送方向下流側に離間している（図１５（ａ）参照）。
【００５３】
次に、Ａ４サイズの用紙Ｐを第１給紙カセット装置３に堆積収容するには、副カセット体３９を主カセット体３７の傾斜分離板８に接近する方向（給送方向下流側、奥側）に移動させる。Ａ３サイズの用紙Ｐを収容していた状態において、主カセット体３７における１つの当接体５３は上記１つの傾斜ガイド面５５ａと対向する位置あるので、副カセット体３９を主カセット体３７の奥側へ移動させると、上記当接体５３が上記１つの傾斜ガイド面５５ａに当接し（図１５（ｂ）参照）、この傾斜ガイド面５５ａに拘束されて当接体５３が主カセット体３７の幅方向の中央側へと強制的に移動させられる。そうすると、この当接体５３が取付けられた案内板５２ｃも上記の方向に移動し、１つの側ガイド部材５２と、主カセット体３７における一方の側板３７ｃとの間隔が狭まるようになる。そして、当接体５３の外側面がガイド手段（切欠き部）５５における平行ガイド面５５ｂに当接（摺接）するときは（図１５（ｃ）参照）、１つの規制板５２ｂと上記一方の側板３７ｃとの間隔がＡ４サイズの用紙Ｐの短辺の長さＷ１に対応することになるのである（図１４（ｂ）参照）。
【００５４】
第３実施形態においては、１つの側ガイド部材５２における１つの当接体５３は主カセット体３７の幅方向（Ｘ軸方向）の広がる方向への移動のみ規制されるように切欠き部５５が形成されているので、逆に、１つの当接体５３ひいては規制板５２ｂが主カセット体３７の一方の側板３７ｃへの幅方向（Ｘ軸方向）の狭まる方向への移動については許容されているから、ユーザーはＡ４サイズの用紙Ｐの短辺方向の寸法Ｗ１よりも小さい任意の小サイズの用紙Ｐを図１４（ｂ）の状態の第１給紙カセット装置３に対していわゆる片側合わせにてセット（堆積収容）することが可能となる。
【００５５】
第３実施形態の変形例として、図１３のようなガイド溝に対して１つの当接体５３を案内させても良い。その場合は、Ａ３サイズとＡ４サイズのように２つのサイズの間で選択できるのである。
【図面の簡単な説明】
【００５６】
【図１】本発明の実施形態の画像記録装置の斜視図である。
【図２】本発明の実施形態の画像記録装置の側断面図である。
【図３】（ａ）はＡ３サイズの用紙Ｐを第１給紙カセット装置に堆積収容した状態を示す斜視図、（ｂ）はＡ４サイズの用紙Ｐを第１給紙カセット装置に堆積収容した状態を示す斜視図である。
【図４】主カセット体の下面図である。
【図５】副カセット体の平面図である。
【図６】Ａ３サイズの用紙Ｐを収容する状態の第１給紙カセット装置の下面側斜視図である。
【図７】同じく下面図である。
【図８】同じく平面図である。
【図９】Ａ４サイズの用紙Ｐを収容する状態の第１給紙カセット装置の下面側斜視図である。
【図１０】同じく下面図である。
【図１１】同じく平面図である。
【図１２】（ａ）から（ｃ）までは、Ａ３サイズの用紙Ｐを収容する状態からＡ４サイズの用紙Ｐを収容する状態へ副カセット体を移動させるとき当接体とガイド手段との関係を示す説明図である。
【図１３】（ａ）は第２実施形態のＡ３サイズの用紙Ｐを収容する状態の第１給紙カセット装置の下面図、（ｂ）はＡ４サイズの用紙Ｐを収容する状態の第１給紙カセット装置の下面図である。
【図１４】（ａ）は第３実施形態のＡ３サイズの用紙Ｐを収容する状態の第１給紙カセット装置の斜視図、（ｂ）はＡ４サイズの用紙Ｐを収容する状態の第１給紙カセット装置の斜視図である。
【図１５】（ａ）から（ｃ）までは、Ａ３サイズの用紙Ｐを収容する状態からＡ４サイズの用紙Ｐを収容する状態へ副カセット体を移動させるとき当接体とガイド手段との関係を示す斜視説明図である。
【符号の説明】
【００５７】
１      多機能装置
２      本体ケース
３      第１給紙カセット装置
６      給紙手段
６ａ    給紙アーム
６ｂ    給紙ローラ
７      記録部
８      傾斜分離板
８ａ    分離パッド
３７    主カセット体
３９    副カセット体
４０、５２    側ガイド部材
４０ａ    ベース
４０ｂ    規制板
４０ｃ    ラック板
４０ｄ    ラック部
４１、５３    当接体
４３      ピニオンギヤ
４５、５５    ガイド手段としての切欠き部
５０    ガイド溝
４５ａ、４５ｂ、５５ａ    傾斜ガイド面
４５ｃ、４５ｄ、５５ｂ    平行ガイド面
【図１】
2008024422.tif 000003
【図２】
2008024422.tif 000004
【図３】
2008024422.tif 000005
【図４】
2008024422.tif 000006
【図５】
2008024422.tif 000007
【図６】
2008024422.tif 000008
【図７】
2008024422.tif 000009
【図８】
2008024422.tif 000010
【図９】
2008024422.tif 000011
【図１０】
2008024422.tif 000012
【図１１】
2008024422.tif 000013
【図１２】
2008024422.tif 000014
【図１３】
2008024422.tif 000015
【図１４】
2008024422.tif 000016
【図１５】
2008024422.tif 000017